(57)【要約】【課題】放射線画像検出器の一方の辺が２つの放射線の焦点位置を結ぶ直線に対して傾いて設置された場合においても、適切な立体視画像を表示する。【解決手段】２つの放射線画像の視差方向に直交する方向についてのずれ量ｄを取得し、その取得したずれ量ｄが減少するように上記直交する方向に相対的にシフトした２つの放射線画像を用いて立体視画像を表示する。【選択図】図７
2012029742.tif 000002
【特許請求の範囲】
【請求項１】
２つの焦点位置から射出された放射線を互いに異なる２つの撮影方向からそれぞれ被写体へ照射することによって撮影された前記撮影方向毎の放射線画像を取得し、該取得した２つの放射線画像を用いて立体視画像を表示する放射線画像撮影表示方法において、
前記２つの放射線画像の視差方向に直交する方向についてのずれ量を取得し、
該取得したずれ量が減少するように前記直交する方向に相対的にシフトした２つの放射線画像を用いて前記立体視画像を表示することを特徴とする放射線画像撮影表示方法。
【請求項２】
２つの焦点位置から射出された放射線を互いに異なる２つの撮影方向からそれぞれ被写体へ照射することによって撮影された前記撮影方向毎の放射線画像を取得する放射線画像取得部と、該放射線画像取得部によって取得された２つの放射線画像を用いて立体視画像を表示する表示部とを備えた放射線画像撮影表示装置において、
前記２つの放射線画像の視差方向に直交する方向についてのずれ量を取得するずれ量取得部を備え、
前記表示部が、前記ずれ量取得部によって取得されたずれ量が減少するように前記直交する方向に相対的にシフトされた２つの放射線画像を用いて前記立体視画像を表示するものであることを特徴とする放射線画像撮影表示装置。
【請求項３】
前記ずれ量取得部が、前記２つの撮影方向から基準マーカーを撮影することによって前記各放射線画像上に現れるマーカー画像間のずれ量を取得するものであることを特徴とする請求項２記載の放射線画像撮影表示装置。
【請求項４】
前記マーカー画像を含む各放射線画像が、前記被写体の撮影前に取得されたものであることを特徴とする請求項２または３記載の放射線画像撮影表示装置。
【請求項５】
前記基準マーカーが、前記被写体が設置される撮影台上に設けられたものであることを特徴とする請求項２から４いずれか１項記載の放射線画像撮影表示装置。
【請求項６】
前記被写体が乳房であるとともに、該乳房を圧迫する圧迫板を備え、
前記基準マーカーが、前記圧迫板に設けられていることを特徴とする請求項２から４いずれか１項記載の放射線画像撮影表示装置。
【請求項７】
前記２つの焦点位置を移動して前記放射線を射出する放射線源を備え、
前記基準マーカーが、前記放射線源の筐体に設けられていることを特徴とする請求項２から４いずれか１項記載の放射線画像撮影表示装置。
【請求項８】
前記ずれ量取得部が、前記各放射線画像内の前記被写体の特定部位に基づいて前記ずれ量を取得するものであることを特徴とする請求項２記載の放射線画像撮影表示装置。
【請求項９】
前記特定部位が、前記被写体の輪郭であることを特徴とする請求項８記載の放射線画像撮影表示装置。
【請求項１０】
前記被写体が乳房であるとともに、前記特定部位が、前記乳房のニップルであることを特徴とする請求項８記載の放射線画像撮影表示装置。
【請求項１１】
前記放射線画像を検出する矩形状の放射線画像検出器を備え、
前記ずれ量取得部が、前記放射線画像検出器の辺の前記２つの焦点を結ぶ直線に対する傾きに基づいて前記ずれ量を取得するものであることを特徴とする請求項２記載の放射線画像撮影表示装置。
【請求項１２】
前記２つの放射線画像に対し、前記ずれ量取得部によって取得されたずれ量に基づいて前記直交する方向にシフト処理を施す放射線画像補正部を備えたことを特徴とする請求項２から１１いずれか１項記載の放射線画像撮影表示装置。
【請求項１３】
前記２つの放射線画像を表示する際、前記ずれ量取得部によって取得されたずれ量に基づいて前記２つの放射線画像を前記直交する方向にシフトさせて表示するように前記表示部を制御する表示制御部を備えたことを特徴とする請求項２から１１いずれか１項記載の放射線画像撮影表示装置。
【請求項１４】
前記放射線画像検出器が、着脱可能なカセッテに収容されたものであり、
該カセッテが装着されたことを検出するカセッテ検出部と、
該カセッテ検出部によってカセッテが装着されたことが検出された際、前記ずれ量取得部によるずれ量の取得を自動的に行うまたは前記ずれ量の取得を促す報知を行うことを特徴とする請求項２から１３いずれか１項記載の放射線画像撮影表示装置。
【発明の詳細な説明】
【技術分野】
【０００１】
本発明は、互いに異なる撮影方向から被写体を撮影することによって取得した撮影方向毎の放射線画像を用いて立体視画像を表示する放射線画像撮影表示方法および装置に関するものである。
【背景技術】
【０００２】
従来、複数の画像を組み合わせて表示することにより、視差を利用して立体視できることが知られている。このような立体視できる画像（以下、立体視画像またはステレオ画像という）は、同一の被写体を異なる方向から撮影して取得された互いに視差のある複数の画像に基づいて生成される。
【０００３】
そして、このような立体視画像の生成は、デジタルカメラやテレビなどの分野だけでなく、放射線画像撮影の分野においても利用されている。すなわち、被験者に対して互いに異なる方向から放射線を照射し、その被験者を透過した放射線を放射線画像検出器によりそれぞれ検出して互いに視差のある複数の放射線画像を取得し、これらの放射線画像に基づいて立体視画像を生成することが行われている。そして、このように立体視画像を生成することによって奥行感のある放射線画像を観察することができ、より診断に適した放射線画像を観察することができる。
【先行技術文献】
【特許文献】
【０００４】
【特許文献１】特開２００４−１０５５６８号公報
【特許文献２】特開昭５９−４０８４０号公報
【発明の概要】
【発明が解決しようとする課題】
【０００５】
ここで、上述したような立体視画像を撮影する装置においては、互いに異なる方向から放射線を照射する放射線源の２つの焦点位置を結ぶ直線と放射線画像検出器の一方の辺とを平行にする必要がある。
【０００６】
しかしながら、たとえば、図６に示すように、放射線画像検出器１５の辺が焦点位置Ｓ１と焦点位置Ｓ２とを結ぶ直線に対して傾いて設置された場合、焦点位置Ｓ１からの放射線の照射によって撮影された放射線画像と焦点位置Ｓ２からの放射線の照射によって撮影された放射線画像とがＹ方向についてずれてしまうことになる。
【０００７】
すなわち、図７（Ａ），（Ｂ）に示すように、被写体ＯＢを表す被写体画像Ｐ１と被写体画像Ｐ２との間でＹ方向についてずれが生じることになる。
【０００８】
このようにステレオ画像を構成する２つの被写体画像Ｐ１と被写体画像Ｐ２との間でＹ方向についてずれが生じると、モニタ３に表示されたステレオ画像を観察者が観察したとき、観察者の立体視認識の負担が大きくなり、観察者の疲労が増大してしまう。
【０００９】
なお、特許文献１には、放射線画像検出器を移動させて撮影を行う際、線源と放射線画像検出器との間の距離が変化することによって生じる画像の歪みを補正することが提案されているが、立体視画像の撮影に関するものではなく、立体視画像の撮影における上述したような問題およびその解決策については一切開示されていない。
【００１０】
また、特許文献２には立体視画像を撮影する撮影装置が開示されているが、特許文献２においても立体視画像の撮影における上述したような問題および解決策については一切開示されていない。
【００１１】
本発明は、上記の事情に鑑み、放射線画像検出器の一方の辺が２つの放射線の焦点位置を結ぶ直線に対して傾いて設置された場合においても、適切な立体視画像を表示することができる放射線画像撮影表示方法および装置を提供することを目的とする。
【課題を解決するための手段】
【００１２】
本発明の放射線画像撮影表示方法は、２つの焦点位置から射出された放射線を互いに異なる２つの撮影方向からそれぞれ被写体へ照射することによって撮影された撮影方向毎の放射線画像を取得し、その取得した２つの放射線画像を用いて立体視画像を表示する放射線画像撮影表示方法において、２つの放射線画像の視差方向に直交する方向のずれ量を取得し、その取得したずれ量が減少するように上記直交する方向に相対的にシフトした２つの放射線画像を用いて立体視画像を表示することを特徴とする。
【００１３】
本発明の放射線画像撮影表示装置は、２つの焦点位置から射出された放射線を互いに異なる２つの撮影方向からそれぞれ被写体へ照射することによって撮影された撮影方向毎の放射線画像を取得する放射線画像取得部と、放射線画像取得部によって取得された２つの放射線画像を用いて立体視画像を表示する表示部とを備えた放射線画像撮影表示装置において、２つの放射線画像の視差方向に直交する方向のずれ量を取得するずれ量取得部を備え、表示部が、ずれ量取得部によって取得されたずれ量が減少するように上記直交する方向に相対的にシフトされた２つの放射線画像を用いて立体視画像を表示するものであることを特徴とする。
【００１４】
また、上記本発明の放射線画像撮影表示装置においては、ずれ量取得部を、２つの撮影方向から基準マーカーを撮影することによって各放射線画像上に現れるマーカー画像間のずれ量を取得するものとできる。
【００１５】
また、マーカー画像を含む各放射線画像を、被写体の撮影前に取得されたものとできる。
【００１６】
また、基準マーカーを、被写体が設置される撮影台上に設けることができる。
【００１７】
また、被写体を乳房とし、乳房を圧迫する圧迫板を設け、基準マーカーを、その圧迫板に設けることができる。
【００１８】
また、２つの焦点位置を移動して放射線を射出する放射線源を設け、基準マーカーを、放射線源の筐体に設けることができる。
【００１９】
また、ずれ量取得部を、各放射線画像内の被写体の特定部位に基づいてずれ量を取得するものとできる。
【００２０】
また、特定部位を被写体の輪郭とできる。
【００２１】
また、被写体を乳房とするとともに、特定部位を、乳房のニップルとすることができる。
【００２２】
また、放射線画像を検出する矩形状の放射線画像検出器を設け、ずれ量取得部を、放射線画像検出器の辺の２つの焦点位置を結ぶ直線に対する傾きに基づいてずれ量を取得するものとできる。
【００２３】
また、２つの放射線画像に対し、ずれ量取得部によって取得されたずれ量に基づいて上記直交する方向にシフト処理を施す放射線画像補正部を設けることができる。
【００２４】
また、２つの放射線画像を表示する際、ずれ量取得部によって取得されたずれ量に基づいて２つの放射線画像を上記直交する方向にシフトさせて表示するように表示部を制御する表示制御部を設けることができる。
【００２５】
また、放射線画像検出器を、着脱可能なカセッテに収容されたものとし、そのカセッテが装着されたことを検出するカセッテ検出部と、カセッテ検出部によってカセッテが装着されたことが検出された際、ずれ量取得部によるずれ量の取得を自動的に行うまたはずれ量の取得を促す報知を行うようにできる。
【発明の効果】
【００２６】
本発明の立体視画像撮影表示方法および装置によれば、２つの放射線画像の視差方向に直交する方向のずれ量を取得し、その取得したずれ量が減少するように上記直交する方向に相対的にシフトした２つの放射線画像を用いて立体視画像を表示するようにしたので、たとえ放射線画像検出器の一方の辺が２つの放射線の焦点位置を結ぶ直線に対して傾いて設置された場合においても、適切な立体視画像を表示することができる。
【図面の簡単な説明】
【００２７】
【図１】本発明の放射線画像撮影表示装置の一実施形態を用いた乳房画像撮影表示システムの概略構成図
【図２】図１に示す乳房画像撮影表示システムのアーム部を図１の右方向から見た図
【図３】図１に示す乳房画像撮影表示システムのコンピュータ内部の概略構成を示すブロック図
【図４】撮影台上に設けられたマーカー部材を示す図
【図５】本発明の放射線画像撮影表示装置の一実施形態を用いた乳房画像撮影表示システムの作用を説明するためのフローチャート
【図６】放射線画像検出器の一方の辺が２つの放射線の焦点位置を結ぶ直線に対して傾いて設置された場合を説明するための図
【図７】図６に示す放射線画像検出器の配置位置において一方の焦点位置から被写体への放射線の照射によって撮影された第１の放射線画像Ｐ１と、他方の焦点位置から被写体への放射線の照射によって撮影された第２の放射線画像Ｐ２の一例を示す図
【図８】放射線画像検出器の一方の辺に対して放射線の焦点位置の移動方向がずれている場合を説明するための図
【図９】図８に示す焦点位置の移動方向と放射線画像検出器の設置位置との関係において、一方の焦点位置から被写体への放射線の照射によって撮影された第１の放射線画像Ｐ１と、他方の焦点位置から被写体への放射線の照射によって撮影された第２の放射線画像Ｐ２の一例を示す図
【図１０】圧迫板上にマーカー部材を設けた場合の一例を示す図
【図１１】放射線源の筐体にマーカー部材を設けた場合の一例を示す図
【発明を実施するための形態】
【００２８】
以下、図面を参照して本発明の放射線画像撮影表示装置の一実施形態を用いた乳房画像撮影表示システムについて説明する。図１は、本実施形態の乳房画像撮影表示システム全体の概略構成を示す図である。
【００２９】
本実施形態の乳房画像撮影表示システム１は、図１に示すように、乳房画像撮影装置１０と、乳房画像撮影装置１０に接続されたコンピュータ２と、コンピュータ２に接続されたモニタ３および入力部４とを備えている。
【００３０】
そして、乳房画像撮影装置１０は、図１に示すように、基台１１と、基台１１に対し上下方向（Ｚ方向）に移動可能であり、かつ回転可能な回転軸１２と、回転軸１２により基台１１と連結されたアーム部１３を備えている。なお、図２には、図１の右方向から見たアーム部１３を示している。
【００３１】
アーム部１３はアルファベットのＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００３２】
撮影台１４の内部には、フラットパネルディテクタ等の放射線画像検出器１５と、放射線画像検出器１５からの電荷信号の読み出しを制御する検出器コントローラ３３が備えられている。また、撮影台１４の内部には、放射線画像検出器１５から読み出された電荷信号を電圧信号に変換するチャージアンプや、チャージアンプから出力された電圧信号をサンプリングする相関２重サンプリング回路や、電圧信号をデジタル信号に変換するＡＤ変換部などが設けられた回路基板なども設置されている。
【００３３】
また、撮影台１４はアーム部１３に対し回転可能に構成されており、基台１１に対してアーム部１３が回転したときでも、撮影台１４の向きは基台１１に対し固定された向きとすることができる。
【００３４】
放射線画像検出器１５は、放射線画像の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。また、放射線画像信号の読出方式としては、ＴＦＴ（thin film transistor）スイッチをオン・オフされることによって放射線画像信号が読みだされる、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００３５】
放射線照射部１６の中には放射線源１７と、放射線源コントローラ３２が収納されている。放射線源コントローラ３２は、放射線源１７から放射線を照射するタイミングと、放射線源１７における放射線発生条件（管電流、時間、管電流時間積等）を制御するものである。
【００３６】
また、アーム部１３の中央部には、撮影台１４の上方に配置されて乳房を押さえつけて圧迫する圧迫板１８と、その圧迫板１８を支持する支持部２０と、支持部２０を上下方向（Ｚ方向）に移動させる移動機構１９が設けられている。圧迫板１８の位置、圧迫圧は、圧迫板コントローラ３４により制御される。
【００３７】
コンピュータ２は、中央処理装置（ＣＰＵ）および半導体メモリやハードディスクやＳＳＤ等のストレージデバイスなどを備えており、これらのハードウェアによって、図３に示すような制御部８ａ、放射線画像記憶部８ｂ、ずれ量取得部８ｃ、画像補正部８ｄおよび表示制御部８ｅが構成されている。
【００３８】
制御部８ａは、各種のコントローラ３１〜３５に対して所定の制御信号を出力し、システム全体の制御を行うものである。具体的な制御方法については後で詳述する。
【００３９】
放射線画像記憶部８ｂは、放射線画像検出器１５によって取得された放射線画像信号を予め記憶するものである。
【００４０】
ずれ量取得部８ｃは、ステレオ画像を構成する２枚の放射線画像の視差方向に直交する方向についてのずれ量を取得するものである。
【００４１】
そして、本実施形態の撮影台１４には、図４に示すようにマーカー部材４０が設けられており、ずれ量取得部８ｃは、このマーカー部材４０によって２枚の放射線画像上にそれぞれ現れるマーカー画像のずれ量を２枚の放射線画像間のずれ量として取得するものである。本実施形態のマーカー部材４０は、鉛などの放射線吸収部材から構成されており、乳房画像内にマーカー画像が写りこまないように、図４に示すように撮影台１４の角の部分に設けられるものである。なお、ずれ量取得部８ｃによるずれ量取得の作用については、後で詳述する。
【００４２】
画像補正部８ｄは、２枚の放射線画像信号に対し、ずれ量取得部８ｃによって取得されたずれ量に基づいて、そのずれ量が減少するように相対的にシフトするシフト処理を施すものである。
【００４３】
表示制御部８ｅは、画像補正部８ｄにおいてシフト処理の施された２枚の放射線画像信号に基づいてモニタ３に乳房のステレオ画像を表示させるものである。
【００４４】
入力部４は、たとえば、キーボードやマウスなどのポインティングデバイスから構成されるものであり、撮影者による撮影条件などの入力や撮影開始指示の入力などを受け付けるものである。
【００４５】
モニタ３は、ステレオ画像の撮影時においては、コンピュータ２から出力された２つの放射線画像信号を用いてステレオ画像を表示可能なように構成されたものである。ステレオ画像を表示する構成としては、たとえば、２つの画面を用いて２つの放射線画像信号に基づく放射線画像をそれぞれ表示させて、これらをハーフミラーや偏光グラスなどを用いることで一方の放射線画像は観察者の右目に入射させ、他方の放射線画像は観察者の左目に入射させることによってステレオ画像を表示する構成を採用することができる。または、たとえば、２つの放射線画像を所定の視差量だけずらして重ね合わせて表示し、これを偏光グラスで観察することでステレオ画像を生成する構成としてもよいし、もしくはパララックスバリア方式およびレンチキュラー方式のように、２つの放射線画像を立体視可能な３Ｄ液晶に表示することによってステレオ画像を生成する構成としてもよい。
【００４６】
次に、本実施形態の乳房画像撮影表示システムの作用について、図５に示すフローチャートを参照しながら説明する。
【００４７】
まず、撮影台１４の上に患者の乳房Ｍが設置され、圧迫板１８により乳房Ｍが所定の圧力によって圧迫される（Ｓ１０）。
【００４８】
次に、入力部４おいて、撮影者によって種々の撮影条件が入力された後、撮影開始の指示が入力される。
【００４９】
そして、入力部４において撮影開始の指示があると、乳房Ｍのステレオ画像の撮影が行われる（Ｓ１２）。具体的には、まず、制御部８ａが、予め設定されたステレオ画像の撮影のための輻輳角θを読み出し、その読み出した輻輳角θの情報をアームコントローラ３１に出力する。なお、本実施形態においては、このときの輻輳角θの情報としてθ＝±２°が予め記憶されているものとするが、これに限らず、撮影者によって入力部４において任意の輻輳角を設定可能である。
【００５０】
そして、アームコントローラ３１において、制御部８ａから出力された輻輳角θの情報が受け付けられ、アームコントローラ３１は、この輻輳角θの情報に基づいて、図２に示すように、アーム部１３が撮影台１４に垂直な方向に対して＋θ°回転するよう制御信号を出力する。すなわち、本実施形態においては、アーム部１３を撮影台１４に垂直な方向に対して＋２°回転するよう制御信号を出力する。
【００５１】
そして、このアームコントローラ３１から出力された制御信号に応じてアーム部１３が＋２°回転する。続いて制御部８ａは、放射線源コントローラ３２および検出器コントローラ３３に対して放射線の照射と放射線画像信号の読出しを行うよう制御信号を出力する。この制御信号に応じて、放射線源１７から放射線が射出され、乳房を＋２°方向から撮影した放射線画像が放射線画像検出器１５によって検出され、検出器コントローラ３３によって放射線画像信号が読み出され、その放射線画像信号に対して所定の信号処理が施された後、コンピュータ２の放射線画像記憶部８ｂに記憶される。
【００５２】
次に、アームコントローラ３１は、図２に示すように、アーム部を初期位置に一旦戻した後、撮影台１４に垂直な方向に対して−θ°回転するよう制御信号を出力する（Ｓ１４）。すなわち、本実施形態においては、アーム部１３を撮影台１４に垂直な方向に対して−２°回転するよう制御信号を出力する。
【００５３】
そして、このアームコントローラ３１から出力された制御信号に応じてアーム部１３が−２°回転する。続いて制御部８ａは、放射線源コントローラ３２および検出器コントローラ３３に対して放射線の照射と放射線画像の読出しを行うよう制御信号を出力する。この制御信号に応じて、放射線源１７から放射線が射出され、乳房を−２°方向から撮影した放射線画像が放射線画像検出器１５によって検出され、検出器コントローラ３３によって放射線画像信号が読み出され、所定の信号処理が施された後、コンピュータ２の放射線画像記憶部８ｂに記憶される。
【００５４】
ここで、上述したような＋θ°からの撮影の際の放射線源１７の焦点位置Ｓ１と−θ°からの撮影の際の放射線源の焦点位置Ｓ２とを結ぶ直線に対し、図６に示すように、放射線画像検出器１５の辺が傾いて設置されている場合、焦点位置Ｓ１からの放射線の照射によって撮影された放射線画像と焦点位置Ｓ２からの放射線の照射によって撮影された放射線画像とが、視差方向に直交する方向についてずれが生じることになる。
【００５５】
説明を分かりやすくするため、図６には乳房Ｍを模式的に表した被写体ＯＢを示しており、図７（Ａ）には、焦点位置Ｓ１から被写体ＯＢへの放射線の照射によって撮影された第１の放射線画像Ｐ１を示しており、図７（Ｂ）には、焦点位置Ｓ２から被写体ＯＢへの放射線の照射によって撮影された第２の放射線画像Ｐ２を示している。
【００５６】
図６に示すように放射線画像検出器１５が傾いて設置されると、図７（Ａ），（Ｂ）に示すように、被写体ＯＢを表す被写体画像Ｐ１と被写体画像Ｐ２との間で、視差方向に直交する方向、すなわち図７（Ａ），（Ｂ）に示すｙ方向についてずれが生じることになる。なお、図６および図７（Ａ），（Ｂ）に示すｘ−ｙ方向は、放射線画像検出器１５によって検出される放射線画像の座標軸である。
【００５７】
また、図８に示すように放射線画像検出器１５は正常に設置されているが、放射線源１７の焦点位置の移動方向がずれることによって放射線画像検出器１５の辺に対し２つの焦点位置を結ぶ直線が傾く場合においても、図９（Ａ），（Ｂ）に示すように、被写体ＯＢを表す被写体画像Ｐ１と被写体画像Ｐ２との間で、視差方向に直交する方向、すなわち図９（Ａ），（Ｂ）に示すｙ方向についてずれが生じることになる。なお、図８および図９（Ａ），（Ｂ）に示すｘ−ｙ方向も、放射線画像検出器１５によって検出される放射線画像の座標軸である。
【００５８】
このようにステレオ画像を構成する２つの被写体画像Ｐ１と被写体画像Ｐ２との間でｙ方向についてずれが生じると、モニタ３に表示されたステレオ画像を観察者が観察したとき、観察者の立体視認識の負担が大きくなり、観察者の疲労が増大してしまう。
【００５９】
そこで、本実施形態の乳房画像撮影表示システムにおいては、被写体画像Ｐ１と被写体画像Ｐ２との間でのｙ方向についてのずれ量を取得し、そのずれ量に基づいて２つの放射線画像に対してｙ方向についてのシフト処理を施す。
【００６０】
具体的には、上述したように取得された２枚の放射線画像信号が放射線画像記憶部８ｂから読み出され、ずれ量取得部８ｃに入力される。そして、ずれ量取得部８ｃは、入力された２枚の放射線画像信号のそれぞれについてマーカー画像を抽出し、そのマーカー画像のＹ方向についてのずれ量を取得する（Ｓ１６）。たとえば、一方の放射線画像に、図７（Ａ）または図９（Ａ）に示すようにマーカー画像ＭＰ１が現れ、他方の放射線画像に、図７（Ｂ）または図９（Ｂ）に示すようにマーカー画像ＭＰ２が現れている場合には、マーカー画像ＭＰ１とマーカー画像ＭＰ２とのｙ方向のずれ量ｄを取得する。
【００６１】
そして、ずれ量取得部８ｃによって取得されたずれ量ｄは画像補正部８ｄに出力される。画像補正部８ｄは、このずれ量ｄに基づいて２枚の放射線画像信号に対してｙ方向についてのシフト処理を施し、ずれ量ｄがゼロになるようにする（Ｓ１８）。なお、このとき一方の放射線画像信号に対してのみ、ｙ方向にずれ量ｄだけシフトするシフト処理を施すようにしてもよいし、両方の放射線画像信号に対し、たとえば、それぞれｙ方向にｄ/２だけシフトするシフト処理を施すようにしてもよい。
【００６２】
そして、画像補正部８ｄにおいてシフト処理の施された２枚の放射線画像信号が表示制御部８ｅに出力され、表示制御部８ｅは、入力された２枚の放射線画像信号に基づいてモニタ３に乳房のステレオ画像を表示する（Ｓ２０）。
【００６３】
なお、上記実施形態においては、マーカー部材４０を撮影台１４上に設けるようにしたが、これに限らず、たとえば、図１０に示すように、圧迫板１８の角の部分に設けるようにしてもよい。また、図１１に示すように、放射線源１７が設けられた放射線照射部１６の筐体に設けるようにしてもよい。
【００６４】
また、マーカー画像の撮影は、上記実施形態のように被写体の撮影と同時に行うようにしてもよいし、被写体の撮影の前にプレ曝射などによって予め撮影しておくようにしてもよい。
【００６５】
また、上記説明においては、マーカー部材４０によるマーカー画像を用いてずれ量を取得するようにしたが、必ずしもマーカー画像を利用しなくてもよく、たとえば、各放射線画像内に存在する特定部位の画像の基づいてずれ量を取得するようにしてもよい。
【００６６】
特定部位の画像としては、たとえば、乳房の放射線画像である場合には、乳房のスキンライン（輪郭）を検出し、このスキンラインのｙ方向のずれ量を取得するようにしてもよい。スキンラインの検出方法としては、たとえば、公知のエッジ検出などを用いることができる。
【００６７】
また、各乳房の放射線画像におけるニップルの位置を検出し、このニップルの位置のｙ方向のずれ量を取得するようにしてもよい。乳房のニップルの位置の検出方法については、たとえば、乳房のスキンラインを検出し、そのスキンラインの頂点となる位置をニップル位置として検出するようにしてもよいし、もしくは乳腺パターンを検出し、その乳腺パターンが最も密集している位置をニップル位置として検出するようにしてもよい。また、その他の公知な方法を採用してニップル位置を検出するようにしてもよい。
【００６８】
また、矩形状の放射線画像検出器１５の辺の２つの焦点位置を結ぶ直線に対する傾きを直接検出し、その傾きに基づいて乳房画像のｙ方向についてのずれ量を取得するようにしてもよい。なお、傾きの検出方法については、たとえば、レーザー変位計などを用いて検出するようにすればよい。また、予め傾きを計測し、その傾き量を入力部４から入力し、ずれ量取得部８ｃがその入力された傾き量に基づいてずれ量を算出するようにしてもよい。
【００６９】
また、上記実施形態においては、ずれ量取得部８ｃにおいて取得したずれ量に基づいて、画像補正部８ｄにおいて放射線画像信号にシフト処理を施すようにしたが、このようにシフト処理を施すのではなく、表示制御部８ｅが、２つの放射線画像がモニタ３に表示された際、ずれ量に応じた分だけ２つの放射線画像がシフトさせて表示されるようにずれ量と放射線画像信号とに基づいて表示制御信号を生成し、その表示制御信号をモニタ３に出力するようにしてもよい。
【００７０】
また、放射線画像検出器１５を撮影台１４に対して着脱可能なカセッテに収容するようにしてもよい。この場合、カセッテの装着された際に放射線画像検出器１５が傾く可能性があるので、カセッテが装着されたことを装置側で検出し、カセッテが装着されたことが検出された際には、ずれ量の取得を自動的に行ったり、ずれ量の取得を促すような表示などを行うようにしてもよい。たとえば、マーカー画像の撮影を自動的に行ったり、マーカー画像の撮影を促すような表示などを行うようにしてもよい。
【００７１】
なお、上記説明は、本発明の立体視画像表示装置の一実施形態を乳房画像撮影表示システムに適用したものであるが、本発明の被写体としては乳房に限らず、たとえば、胸部や頭部などを撮影する放射線画像撮影表示システムにも本発明を適用することができる。
【符号の説明】
【００７２】
１     乳房画像撮影表示システム
２     コンピュータ
３     モニタ
４     入力部
８ａ   制御部
８ｂ   放射線画像記憶部
８ｃ   ずれ量取得部
８ｄ   画像補正部
８ｅ   表示制御部
１０   乳房画像撮影装置
１３   アーム部
１４   撮影台
１５   放射線画像検出器
１７   放射線源
１８   圧迫板
１９   移動機構
４０   マーカー部材
【図１】
2012029742.tif 000003
【図２】
2012029742.tif 000004
【図３】
2012029742.tif 000005
【図４】
2012029742.tif 000006
【図５】
2012029742.tif 000007
【図６】
2012029742.tif 000008
【図７】
2012029742.tif 000009
【図８】
2012029742.tif 000010
【図９】
2012029742.tif 000011
【図１０】
2012029742.tif 000012
【図１１】
2012029742.tif 000013